(57)【要約】【課題】利用者に違和感を与えることなく利用者の皮膚を尿道カテーテルのこすれから保護し、に安価で簡単に製造する。【解決手段】四角形状の布地を加工してなり、カテーテルを被覆する保護カバーであり、一面側がガーゼ生地で構成され、布地は、ガーゼ生地を外側に向け、四角形状の一方向の中央又は略中央で、一方向に交わる他方向に沿って折り畳んで２つ折りしてなり、一方向の中間位置に設けられ、当該保護カバーを折り込むための折り込み部と、一方向における一方の端縁側に設けられ、カテーテルを保持する保持部と、一方向における一方の端縁側と他方の端縁側とを着脱可能とする面ファスナーと、を有する保護カバーで課題を解決する。また、不織布で構成した保護カバーで課題を解決する。【選択図】図１
2020099372.tif 000002
【特許請求の範囲】
【請求項１】
四角形状の布地を加工してなり、カテーテルを被覆する保護カバーであって、
前記布地の少なくとも一面側がガーゼ生地で構成され、
前記布地は、前記ガーゼ生地を外側に向け、前記四角形状の一方向の中央又は略中央で、前記一方向に交わる他方向に沿って折り畳んで２つ折りしてなり、
折り畳まれた前記布地における前記一方向の中間位置に設けられ、当該保護カバーを折り込むための折り込み部と、
前記一方向における一方の端縁側に設けられ、前記カテーテルを保持する保持部と、
前記一方向における前記一方の端縁側と他方の端縁側とを着脱可能とする面ファスナーと、
を備えている、保護カバー。
【請求項２】
前記保持部は、折り畳まれた前記布地の一方の面である内面同士の一部を突き合わせ、内面同士の一部が突き合わされた前記布地を縫い合わたせ縫い合わせ部を、折り畳まれた前記布地の前記一方向に交わる他方向における少なくとも一方の端部側に備えている、保護カバー。
【請求項３】
前記四角形状の他方の端縁側に設けられた前記面ファスナーを構成するファスナー構成体は、前記折り畳まれた布地の端縁よりも内側に設けられている、保護カバー。
【請求項４】
少なくとも一面側がガーゼ生地で構成された四角形状の布地を用い、
折り畳まれた前記布地における、ガーゼ生地で構成された前記一面側を外側に向け、前記四角形状の２方向の内一方向の中間位置で、前記一方向に交わる方向に沿って折り畳む折り畳み工程と、
折り畳まれた前記布地の一方側の面である内面の一部に窪みが形成されるように内面同士の一部を突き合わせ、内面同士の一部が突き合わされた前記布地を縫い合わせることによって、折り畳まれた前記布地の２方向の内の前記一方向における一方の端縁側に保持部を形成する保持部形成工程と、
前記一方の方向における前記四角形状の一方の端縁側と他方の端縁側とを着脱可能とする面ファスナーを構成するファスナー構成部材を前記一方の端縁側と前記他方の端縁側にそれぞれ取り付ける取り付け工程と、
を少なくとも備えている、保護カバーの製造方法。
【請求項５】
四角形状の不織布を加工してなり、カテーテルを被覆する保護カバーであって、
前記不織布における前記四角形状の一方向が、包み込み領域、中間領域、及びカバー領域に区分され、
前記包み込み領域は、前記一方向における一端側の所定領域が、前記不織布の中央に向け折り込み可能に構成され、
前記カバー領域は、前記一方向における他端側の所定領域が、前記不織布の中央に向け、前記包み込み領域の外側に折り込み可能に構成され、
前記中間領域は、前記包み込み領域と前記カバー領域とを連絡している、保護カバー。
【請求項６】
前記中間領域と前記カバー領域とは、
前記中間領域と前記カバー領域との境界部よりも内側の位置で、前記境界部に沿って縫われると共に、前記四角形状の一方向に交わる方向の少なくとも一方に、前記中間領域と前記カバー領域とを部分的に縫い合わせた縫い合わせ部を備えている、保護カバー。
【請求項７】
四角形状の不織布を用い、
前記不織布における前記四角形状の一方向を、包み込み領域、中間領域、及びカバー領域に区分し、
前記カバー領域を前記中間領域側に折り畳む折り畳み工程と、
前記カバー領域と前記中間領域との境界部よりも内側で、前記境界部に沿って前記カバー領域と前記中間領域とを縫い込む縫い込み工程と、
前記カバー領域と前記中間領域との境界部よりも内側で、前記一方向に交わる方向の少なくとも一方の端部に前記カバー領域と前記中間領域とを縫い合わせる縫い合わせ工程と、を備えている、保護カバーの製造方法。
【発明の詳細な説明】
【技術分野】
【０００１】
本発明は、保護カバー及び保護カバーの製造方法に関し、さらに詳しくは、尿道に挿入するカテーテルが人体の皮膚に触れて皮膚が損傷することを防止して皮膚を保護するための保護カバー及び保護カバーの製造方法に関する。
【背景技術】
【０００２】
従来から、尿道カテーテルを尿道に挿入する際に、尿道カテーテルが皮膚にこすれ、皮膚を損傷してしまうという問題があった。この問題を解決するための技術は、これまでにいくつか特許出願によって提案されている。
【０００３】
例えば、特許文献１に記載されている介護用パンツは、使用者の正面側を覆う前身頃と背面側を覆う後身頃とを有するものである。同文献に記載された介護用パンツは、一方の側の側面部で前身頃と後身頃とが分離可能に構成されている。また、後身頃の分離部分に前身頃の分離部分に所要幅で重なり合って使用者の正面側の肌に接する延出部が形成されている。そして、介護用パンツの後身頃には延出部が設けられおり、延出部と前身頃との重合部間にカテーテルを通すことにより、カテーテルの肌への直接の接触を避けている。
【０００４】
特許文献２に記載されている医療用チューブの外装体は、体外へ露出する部分の医療用チューブＢ１を被覆するための外装体である。同文献に記載された医療用チューブの外装体は、多孔質のポリテトラフルオロエチレンかなる筒状体によって構成されていて、その長手方向全長にわたって内部まで貫通する切れ目を有している。この切れ目が、医療用チューブを筒状体の内部へ出し入れするための開口部として構成されている。この医療用チューブの外装体は、筒状体が医療用チューブと皮膚との直接の接触を防止して、皮膚への損傷を軽減し、苦痛や不快感を和らげている。
【０００５】
特許文献３に記載されている介護パジャマ用ズボンは、尿道カテーテルを使用している人が着用するパジャマ用ズボンである。同文献に記載された介護パジャマ用ズボンは、股下部の上部に設けた開口部とこの開口部を開閉可能に覆うカバーを備えている。介護パジャマ用ズボンは、複数の面ファスナーを備えた矩形状の布片と、補強用布片とにより開口部を覆う筒状の部分を形成している。管は筒状の部分の中に通されている。この介護パジャマ用ズボンは、不快感を与えず、かつ不用意なカテーテルの自己抜去を起こりにくくしている。
【先行技術文献】
【特許文献】
【０００６】
【特許文献１】特開２００５−１３１０６２号公報
【特許文献２】登録実用新案第３２１５５８５号
【特許文献３】登録実用新案第３１６８０１９号
【発明の概要】
【発明が解決しようとする課題】
【０００７】
特許文献１に記載の介護用パンツは、被介護者が着用するためのパンツであり、介護用パンツを着用しなければならない。ところが、被介護者の中には、通常の下着を着用したまま尿道カテーテルを使用する場合が多々ある。このような被介護者には、同文献に記載された介護用パンツは不向きである。
【０００８】
特許文献２に記載の医療用チューブの外装体は、筒状体が樹脂であるポリテトラフルオロエチレンによって構成されている。そのため、医療用チューブの外装体が素肌に触れると、異物感を生じてしまう。
【０００９】
特許文献３に記載された介護パジャマ用ズボンは、その名の通り、パジャマのズボンに関する技術である。そのため、不快感を与えず、かつ不用意なカテーテルの自己抜去を起こりにくくしているというメリットを享受するためには、この介護パジャマ用ズボンを着用することが必要である。ところが、尿道カテーテルを利用する被介護者は、パジャマを着用することが不要であったり、パジャマを着しない状況で尿道カテーテルを利用したりすることがある。
【００１０】
また、特許文献１〜３に記載されている技術は、構造が複雑であり、製造する際に手間暇が掛かると共に、製造単価が高くなるおそれがある。
【００１１】
本発明は、上記課題を解決するためになされたものであり、その目的は、第１に、利用者に違和感を与えることなく利用者の皮膚を尿道カテーテルのこすれから保護し、第２に安価で簡単に製造することができる保護カバー及び保護カバーの製造方法を提供することにある。
【課題を解決するための手段】
【００１２】
上記課題を解決するための本発明に係る保護カバーは、四角形状の布地を加工してなり、カテーテルを被覆する保護カバーであって、前記布地の少なくとも一面側がガーゼ生地で構成され、前記布地は、前記ガーゼ生地を外側に向け、前記四角形状の一方向の中央又は略中央で、前記一方向に交わる他方向に沿って折り畳んで２つ折りしてなり、折り畳まれた前記布地における前記一方向の中間位置に設けられ、当該保護カバーを折り込むための折り込み部と、前記一方向における一方の端縁側に設けられ、前記カテーテルを保持する保持部と、前記一方向における前記一方の端縁側と前記他方の端縁側とを着脱可能とする面ファスナーと、を備えている。
【００１３】
この発明によれば、ガーゼ生地が外側に向けられるので、保護カバーの利用者の皮膚に接触したときに、違和感を与えることなく利用者の皮膚を尿道カテーテルのこすれから保護することができる。また、保護カバーが保持部を備えているので、保護カバーによって被覆されたカテーテルが保護カバーから抜け出してしまうことを防止できる。さらに、この発明によれば、例えば、１００円ショップやスーパーなどで布地を安価に購入することができる。また、構造が簡素なので、安価にかつ簡潔に製造することができる。
【００１４】
本発明に係る保護カバーにおいて、前記保持部は、折り畳まれた前記布地の一方の面である内面同士の一部を突き合わせ、内面同士の一部が突き合わされた前記布地を縫い合わたせ縫い合わせ部を、折り畳まれた前記布地の前記一方向に交わる他方向における少なくとも一方の端部側に備えている。
【００１５】
この発明によれば、縫い合わせ部がカテーテルの分岐部等に係り合わされ、カテーテルが保護カバーから抜け出すことを防止することができる。
【００１６】
本発明に係る保護カバーにおいて、前記四角形状の他方の端縁側に設けられた前記面ファスナーを構成するファスナー構成体は、前記折り畳まれた布地の端縁よりも内側に設けられている。
【００１７】
この発明によれば、ファスナー構成体が折り畳まれた布地の端縁よりも内側に設けられているので、ファスナー構成体よりも外側の領域を摘まみとして利用することができる。
【００１８】
上記課題を解決するための本発明に係る保護カバーの製造方法は、少なくとも一面側がガーゼ生地で構成された四角形状の布地を用い、折り畳まれた前記布地における、ガーゼ生地で構成された前記一面側を外側に向け、前記四角形状の２方向の内一方向の中間位置で、前記一方向に交わる方向に沿って折り畳む折り畳み工程と、折り畳まれた前記布地の一方側の面である内面の一部に窪みが形成されるように内面同士の一部を突き合わせ、内面同士の一部が突き合わされた前記布地を縫い合わせることによって、折り畳まれた前記布地の２方向の内の前記一方向における一方の端縁側に保持部を形成する保持部形成工程と、前記一方の方向における前記四角形状の一方の端縁側と他方の端縁側とを着脱可能とする面ファスナーを構成するファスナー構成部材を前記一方の端縁側と前記他方の端縁側にそれぞれ取り付ける取り付け工程と、を少なくとも備えている。
【００１９】
この発明によれば、保護カバーに用いる布地が、一面側がガーゼ生地で構成されているので、例えば、１００円ショップやスーパーなどで布地を安価に購入することができる。また、構造が簡素なので、安価にかつ簡潔に製造することができる。
【００２０】
上記課題を解決するための本発明に係る保護カバーは、四角形状の不織布を加工してなり、カテーテルを被覆する保護カバーであって、前記不織布における前記四角形状の一方向が、包み込み領域、中間領域、及びカバー領域に区分され、前記包み込み領域は、前記一方向における一端側の所定領域が、前記不織布の中央に向け折り込み可能に構成され、前記カバー領域は、前記一方向における他端側の所定領域が、前記不織布の中央に向け、前記包み込み領域の外側に折り込み可能に構成され、前記中間領域は、前記包み込み領域と前記カバー領域とを連絡している。
【００２１】
この発明によれば、保護カバーが不織布で製造されているので、保護カバーの利用者の皮膚に接触したときに、違和感を与えることなく利用者の皮膚を尿道カテーテルのこすれから保護することができる。また、保護カバーが包み込み領域を備えているので、保護カバーによって被覆されたカテーテルが保護カバーから抜け出してしまうことを防止できる。さらに、保護カバーが不織布で形成されているので、安価に購入することができる。また、構造が簡素なので、安価にかつ簡潔に製造することができる。
【００２２】
本発明に係る保護カバーにおいて、前記中間領域と前記カバー領域とは、前記中間領域と前記カバー領域との境界部よりも内側の位置で、前記境界部に沿って縫われると共に、前記四角形状の一方向に交わる方向の少なくとも一方に、前記中間領域と前記カバー領域とを部分的に縫い合わせた縫い合わせ部を備えている。
【００２３】
この発明によれば、中間領域とカバー領域とは、その境界部よりも内側の位置で、境界部に沿って縫われているので、カバー領域が中間領域側に強制的に折り畳まれる。その結果、カバー領域が開いてしまうことを阻止することができる。また、保護カバーが縫い合わせ部を備えているので、カテーテルが抜け出してしまうことを防止する。
【００２４】
上記課題を解決するための本発明に係る保護カバーの製造方法は、四角形状の不織布を用い、前記不織布における前記四角形状の一方向を、包み込み領域、中間領域、及びカバー領域に区分し、前記カバー領域を前記中間領域側に折り畳む折り畳み工程と、前記カバー領域と前記中間領域との境界部よりも内側で、前記境界部に沿って前記カバー領域と前記中間領域とを縫い込む縫い込み工程と、前記カバー領域と前記中間領域との境界部よりも内側で、前記一方向に交わる方向の少なくとも一方の端部に前記カバー領域と前記中間領域とを縫い合わせる縫い合わせ工程と、を備えている。
【００２５】
この発明によれば、保護カバーを不織布で製造するので、原材料を安価に購入することができる。また、構造が簡素なので、安価にかつ簡潔に製造することができる。
【発明の効果】
【００２６】
本発明によれば、第１に、利用者に違和感を与えることなく利用者の皮膚を尿道カテーテルのこすれから保護することができる。第２に、保護カバーを安価で簡単に製造することができる。
【図面の簡単な説明】
【００２７】
【図１】本発明に係る第１実施形態の保護カバーの斜視図である。
【図２】第１実施形態の保護カバーの使用方法を説明するための説明図である。
【図３】第１実施形態の保護カバーの製造方法を説明するための説明図である。
【図４】本発明に係る第２実施形態の保護カバーの斜視図である。
【図５】第２実施形態の保護カバーの使用方法を説明するための説明図である。
【図６】第２実施形態の保護カバーの製造方法を説明するための説明図である。
【図７】第１実施形態の保護カバーの斜視図である。
【図８】第２実施形態の保護カバーの斜視図である。
【発明を実施するための形態】
【００２８】
以下、図面を参照しつつ、本発明の実施形態について説明する。本発明は、以下に説明する実施形態及び図面に記載した形態と同じ技術的思想の発明を含むものであり、本発明の技術的範囲は実施形態の記載や図面の記載のみに限定されるものでない。
【００２９】
［第１実施形態］
第１実施形態の保護カバー１は、カテーテル２０を被覆する保護カバー１であって、四角形状の布地１０を加工することによって構成されている。布地１０は、前記布地の少なくとも一面側がガーゼ生地で構成されている。保護カバー１は、ガーゼ生地を外側に向け、四角形状の一方向Ｘの中央又は略中央で、一方向Ｘに交わる他方向Ｙに沿って折り畳んで２つ折りして構成されている。布地１０は、例えば、いわゆる百円ショップ等で販売されている四角形状の布地１０を用いることができる。なお、布地の一面側とは反対側の他面側の生地は、特に限定されないが、例えば、パイル記事等が用いられる。
【００３０】
図１は、（Ａ）が保護カバー１の内面を示し、（Ｂ）が保護カバー１の外面を示している。保護カバー１は、図１に示すように、折り込み部２、保持部３、及び面ファスナー４を備えている。折り込み部２は、布地１０における一方向Ｘの中間位置に設けられ、当該保護カバー１を折り込むための構成部である。保持部３は、一方向Ｘにおける一方の端縁側Ｐに設けられ、カテーテル２０を保持するための構成部である。面ファスナー４は、一方向Ｘにおける一方の端縁側Ｐと、他方の端縁側Ｑとを着脱可能とする構成部である。以下第１実施形態の保護カバー１の各構成について詳細に説明する。
【００３１】
図１は、第１実施形態における保護カバー１を示している。保護カバー１は、正方形又は略正方形に形成されている。なお、各図１に示した符号Ｘは、四角形状における一方向を表し、符号Ｙは四角形状における他方向を表している。また、本実施形態では、一方向Ｘが保護カバー１の上下方向であり、他方向Ｙが保護カバー１の左右方向である。図１に示した実施形態では、長方形の布地１０を加工することで保護カバー１を製造しており、長方形の長軸方向に対応する方向が一方向Ｘであり、短軸方向に対応する方向が他方向Ｙである。
【００３２】
保護カバー１は、一方向Ｘおける一方の端縁側Ｐにカテーテル２０を保持する保持部３を備えている。保持部３は、折り畳まれた布地１０の内面同士の一部を突き合わせ、内面同士の一部が突き合わされた布地１０を縫い合わたせ縫い合わせ部５を有している。縫い合わせ部５は、折り畳まれた布地１０における他方向Ｙ（上下方向）における、少なくとも一方の端部側に備えている。本実施形態の保護カバー１は、縫い合わせ部５を他方向Ｙ（上下方向）における、下側の端部に備えている。この縫い合わせ部５は、後述する尿道カテーテル２０を引っかけるための構成部である。但し、縫い合わせ部５は、縫い合わせ部５を他方向Ｙ（上下方向）における上側の端部に設けたり、上側と下側の両方に設けたりしてもよい。
【００３３】
また、保護カバー１は、面ファスナー４を備えている。この実施形態では、面ファスナー４は、一方向Ｘにおける一方の端縁側Ｐと他方の端縁側Ｑとを着脱可能としている。面ファスナー４は面ファスナーによって構成されており、第１のファスナー構成体４ａが一方の端縁側Ｐの内面に縫い付けられ、第２のファスナー構成体４ｂが他方の端縁側Ｑの外面に縫い付けられている。
【００３４】
保護カバー１は、折り畳まれた布地１０における一方向Ｘの中間位置に、当該保護カバー１を折り込むための折り込み部２を有している。この実施形態では、折り畳まれた布地１０における一方向Ｘの中間位置に折り込み部２を有している。具体的に折り込み部２は、一方向Ｘにおいて、保持部３と第１のファスナー構成体４ａとの間の領域である。この領域の範囲内であれば、折り込み部２を他方向Ｙに沿って保護カバー１を折り込むことを可能にしている。
【００３５】
こうした保護カバー１は、尿道カテーテル２０を被覆するために使用される。尿道カテーテル２０は、図２に示すように、尿道から尿を取り出すための尿道管２２と、取り出された尿を分岐する分岐部２１と、分岐された尿を排出するための排出管２３とを備えている。この実施形態では、分岐部２１にて尿道管２２が２つに分岐されているが、被覆される対象となる尿道カテーテル２０は、分岐部２１を備えていないものや、３つ以上に分岐されているものを被覆してもよい。
【００３６】
以上に説明した保護カバー１は、図２に示すようにして尿道カテーテル２０を被覆する。まず、図２（Ａ）に示すように、尿道カテーテル２０が延びる方向を保護カバー１の他方向Ｙ（上下方向）に一致させて、尿道カテーテル２０を保持部３に載置する。その際、分岐部２１の根元を縫い合わせ部５の位置に一致させ、尿道カテーテル２０を保持部３に保持させる。次いで、図２（Ｂ）に示すように、保持部３の一方の端縁側Ｐを保護カバー１の中央側に折り込んで、尿道カテーテル２０を保持部３で被覆する。次いで、図２（Ｃ）に示すように、折り込み部２の位置で保護カバー１を折り込み、保護カバー１全体で尿道カテーテル２０を被覆する。保護カバー１を折り込んだ後、一方向Ｘ（Ｘ）の他方の端縁側Ｑを外側に位置させると共に、一方向Ｘ（Ｘ）の一方の端縁側Ｑを内側に位置させ、第１のファスナー構成体４ａと第２のファスナー構成体４ｂとを突き合わせて一方向Ｘ（Ｘ）の一方の端縁側Ｐと他方の端縁側Ｑと密着させて閉鎖する。
【００３７】
以上に説明した第１実施形態の保護カバー１の製造方法について、図３を用いて説明する。
【００３８】
まず、四角形状の布地１０を用意する。四角形状の布地１０は、いわゆる１００円ショップ、スパーマーケット等、安価に布地１０を販売している小売店等で購入するとよい。なお、四角形状の布地１０は、購入したそのままの大きさで使用してもよいし、使いやすい大きさに裁断して使用いてもよい。本実施形態の布地１０は、図３（Ａ）に示すように、長方形の布地１０を使用している。上述したように、布地１０は、一面側がガーゼ生地で構成されているが、他面側の生地は特に限定されない。他面側の生地は、例えば、パイル生地等を用いることができる。
【００３９】
次に、図３（Ｂ）に示すように、布地１０における四角形状の一方向Ｘの中央又は略中央で、一方向Ｘに交わる他方向Ｙに沿って折り畳んで２つ折りにする。この実施形態では長方形の長軸方向が一方向Ｘであり、短軸方向が他方向Ｙである。折り畳まれた布地１０は表側と裏側とは、上端縁側と一方向Ｘ（Ｘ）の一方の端縁側Ｐとが縫い合わされ、縫い目１１と縫い目１２を形成して閉じられる。
次いで、図３（Ｃ）に示すように、布地１０に保持部３と面ファスナー４とが設けられる。
【００４０】
保持部３は、折り畳まれた布地１０の内面の一部に窪みが形成されるように内面同士の一部を突き合わせ、内面同士の一部が突き合わされた布地１０を縫い合わせ、縫い合わせ部５を形成して設けられる。この実施形態では、縫い合わせ部（下端側縫い合わせ部）５が、他方向Ｙ（上下方向）の下側の端部側に設けられている。
また、図７に示されるように、かがり部３７が、他方向Ｙ（上下方向）の上側の端部に設けられている。なお、縫い合わせ部３５は、かがり縫で縫製されることで形成される。また、布地１０が折り畳まれた状態で、かがり部３７は、布地１０の内側に縫い合わせ部３５と対向する位置に形成される。かがり部３７と、縫い合わせ部３５とが尿道カキーテル２０上端に形成されることで、保護カバー３０で被覆した尿道カテーテル２０が保護カバー３０から抜き出てしまうことをより確実に防止できる。なお、かがり部３７を縫い合わせ部３５の内側の上側の端部であって、縫い合わせ部３５と対応する位置に形成するようにしても良い。
【００４１】
面ファスナー４は、第１のファスナー構成体４ａを一方の端縁側Ｐの内面に縫い付け、第２のファスナー構成体４ｂを他方の端縁側Ｑの外面に縫い付けて設ける。第１のファスナー構成体４ａ及び第２のファスナー構成体４ｂは、各縫い目の強度を向上させるために、かがり縫い等で縫製するとよい。
【００４２】
第１のファスナー構成体４ａの縫い付けられる位置は、一方の端縁側Ｐよりも保護カバー１のやや中央側にずれた位置である。中央側にずれた位置に取り付けることによって、第１のファスナー構成体４ａと一方の端縁側Ｐの端縁との間の領域を摘まみとして利用することができる。
【００４３】
［第２実施形態］
次に、図４〜６、図８を参照して第２実施形態の保護カバー３０について説明する。
【００４４】
第２実施形態の保護カバー３０は、四角形状の不織布４０を加工することによって構成されている。長方形の不織布４０は、長方形の一方向Ｘをなす長軸方向が、３つ領域に区分されている。３つ領域は、包み込み領域３１、中間領域３２、及びカバー領域３３で構成されている。包み込み領域３１は、一方向Ｘにおける一端側Ｓの所定領域が、不織布４０の中央に向けて折り込み可能に構成された領域である。カバー領域３３は、一方向Ｘにおける他端側Ｔの所定領域が、不織布４０の中央に向け、包み込み領域３１の外側に折り込み可能に構成された領域である。中間領域３２は、長方形の不織布４０における中間部分を構成していて、包み込み領域３１とカバー領域３３とを連絡している。保護カバー３０は、中間領域３２とカバー領域３３とが、両者の境界部３４よりも内側の位置で、境界部３４が延びる方向に沿って縫われている。図４において、符号３６で示された破線が縫い線３６である。中間領域３２とカバー領域３３との境界部３４よりも内側の位置で、境界部３４に沿って縫われているので、カバー領域３３が中間領域側に強制的に折り畳まれる。その結果、カバー領域３３が開いてしまうことを阻止することができる。
【００４５】
また、保護カバー３０は、四角形状の一方向Ｘに交わる他方向Ｙの少なくとも一方に、中間領域３２とカバー領域３３とを部分的に縫い合わせた縫い合わせ部３５を備えている。図４に示した例では、縫い合わせ部３５は、他方向Ｙの両側に設けられている。この縫い合わせ部３５は、カバー領域３３を中間領域側に強制的に折り畳むことによって、バー領域３３が開いてしまうことを阻止している。
【００４６】
第２実施形態の保護カバー３０において、カバー領域３３を保護カバー３０の中央に向けて折り込むだけでは、保護カバー３０を使用している最中にカバー領域３３が開いてしまうことがあり得る。図４（Ｂ）に示した保護カバー３０ａは、カバー領域３３ａが開いてしまうことを防止するために、包み込み領域３１ａの外面とカバー領域３３ａの内面とにファスナー構成体４ａ，４ｂを取り付けた形態である。この保護カバー３０ａの構成は、面ファスナー４を設けたこと以外に、図４（Ａ）に示した保護カバー３０の構成とほぼ同様である。そのため、各符号の後に「ａ」を付け、各構成の具体的な説明は省略する。
【００４７】
保護カバー３０は、図５に示すようにして使用される。まず、図５（Ａ）に示すように、尿道カテーテル２０を中間領域３２の上に載せ、包み込み領域３１を中間領域３２に被せるようにして折り畳む。次いで、カバー領域３３を中間領域３２側に向けて折り畳む。このとき、カバー領域３３は包み込み領域３１の外側に位置される。尿道カテーテル２０が保護カバー３０によって被覆された形態において、縫い合わせ部３５は、保護カバー３０で被覆した尿道カテーテル２０が保護カバー３０から抜き出てしまうことを防止している。
【００４８】
以上に説明した第２実施形態の保護カバー３０は次のようにして製造される。保護カバー３０は、例えば、図６（Ａ）に示すように長方形に形成された不織布４０が用いられる。不織布４０は、その一方向Ｘである長軸方向が、包み込み領域３１、中間領域３２、及びカバー領域３３の３つの領域に区分される。
【００４９】
まず、図６（Ａ）に示すように、カバー領域３３が中間領域３２側に向けて折り畳まれる。次に、カバー領域３３と中間領域３２とが、カバー領域３３と中間領域３２との境界部３４よりも内側で、境界部３４が延びる方向に沿って縫い込まれる。次に、カバー領域３３と中間領域３２とが、その境界部３４よりも内側で、他方向Ｙの少なくとも一方の端部にカバー領域３３と中間領域３２とを縫い合わせ、縫い合わせ部３５を形成する。第２実施形態の保護カバー３０は、これらの工程を経て製造される。なお、保護カバー３０に面ファスナー４を設ける場合、包み込み領域３１の外面と、カバー領域３３の内面とに、ファスナー構成体４ａ，４ｂがそれぞれ取り付けられる。
また、図８に示されるように、かがり部３７ａが、他方向Ｙ（上下方向）の上側の端部に設けられている。なお、縫い合わせ部３５ａは、かがり縫で縫製されることで形成される。また、布地１０が折り畳まれた状態で、かがり部３７ａは、布地１０の内側に縫い合わせ部３５ａと対向する位置に形成される。かがり部３７ａと、縫い合わせ部３５ａとが尿道カキーテル２０上端に形成されることで、保護カバー３０で被覆した尿道カテーテル２０が保護カバー３０から抜き出てしまうことをより確実に防止できる。なお、かがり部３７ａを縫い合わせ部３５ａの内側の上側の端部であって、縫い合わせ部３５ａと対応する位置に形成するようにしても良い。
【００５０】
上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００５１】
１  保護カバー
２  折り込み部
３  保持部
４  面ファスナー
４ａ  第１のファスナー構成体
４ｂ  第２のファスナー構成体
５  縫い合わせ部
１０  布地
１１  縫い目
１２  縫い目
２０  尿道カテーテル（カテーテル）
２１  分岐部
２２  尿道管
２３  排出管
３０,３０ａ  保護カバー
３１，３１ａ  包み込み領域
３２，３２ａ  中間領域
３３，３３ａ  カバー領域
３４，３４ａ  境界部
３５  縫い合わせ部
４０  不織布
【図１】
2020099372.tif 000003
【図２】
2020099372.tif 000004
【図３】
2020099372.tif 000005
【図４】
2020099372.tif 000006
【図５】
2020099372.tif 000007
【図６】
2020099372.tif 000008
【図７】
2020099372.tif 000009
【図８】
2020099372.tif 000010
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
四角形状の布地を加工してなり、カテーテルを被覆する保護カバーであって、
前記布地の少なくとも一面側がガーゼ生地で構成され、
前記布地は、前記ガーゼ生地を外側に向け、前記四角形状の一方向の中央又は略中央で、前記一方向に交わる他方向に沿って折り畳んで２つ折りしてなり、
折り畳まれた前記布地における前記一方向の中間位置に設けられ、当該保護カバーを折り込むための折り込み部と、
前記一方向における一方の端縁側に設けられ、前記カテーテルを保持する保持部と、
前記一方向における前記一方の端縁側と他方の端縁側とを着脱可能とする面ファスナーと、
を備え、
前記保持部は、折り畳まれた前記布地の一方の面である内面同士の一部を突き合わせ、内面同士の一部が突き合わされた前記布地を縫い合わせた縫い合わせ部を、折り畳まれた前記布地の前記一方向に交わる他方向における少なくとも一方の端部側に備えている、保護カバー。
【請求項２】
前記四角形状の他方の端縁側に設けられた前記面ファスナーを構成するファスナー構成体は、折り畳まれた布地の端縁よりも内側に設けられている、請求項１に記載の保護カバー。